(57)【要約】      （修正有）【課題】比較的小さくて軽量な広告媒体を目視にて確認しながら所望の位置に簡単に設置できるとともに、広告媒体の交換を簡単に行える広告媒体昇降装置を提供する。【解決手段】吊支する広告媒体を昇降させる昇降手段１０と、該昇降手段の昇降操作を行なう操作杆３０とを備えている。昇降手段に電力受給側コネクタ１７を配設し、操作杆に、昇降手段を構成するモーターを作動させる電力を供給する電源部３６を内蔵するとともに昇降手段の上昇、下降操作を行なう操作部３３を設け、先端部に起電力供給側コネクタ３７を形成する。操作杆の電力供給側コネクタを昇降手段の電力受給側コネクタに連結して通電し、昇降操作部を操作することにより広告媒体を昇降する。【選択図】図３
0003142333.tif 000002
【実用新案登録請求の範囲】
【請求項１】
吊支する広告媒体を昇降させる昇降手段（１０）と、該昇降手段の昇降操作を行なう操作杆（３０）とを備えてなり、
前記昇降手段に電力受給側コネクタ（１７）を配設し、
前記操作杆に、前記昇降手段を構成するモーター（１２）を作動させる電力を供給する電源部（３６）を内蔵するとともに前記昇降手段の上昇、下降操作を行なう操作部（３３）を設け、先端部に起電力供給側コネクタ（３７）を形成し、
前記操作杆の電力供給側コネクタを前記昇降手段の電力受給側コネクタに連結して通電し、前記昇降操作部を操作することにより広告媒体を昇降することを特徴とする広告媒体昇降装置。
【考案の詳細な説明】
【技術分野】
【０００１】  本考案は、ポスター、広告バナ−等（以下、本明細書中において「広告媒体」という。）を昇降させる広告媒体昇降装置に関するものであり、地上での操作により広告媒体を昇降（可動）させながら所望の位置に設置する広告媒体昇降装置に関するものである。
【背景技術】
【０００２】  スーパーマーケット、ショッピングセンター、量販店の売り場の天井付近から広告媒体を吊り下げことが行なわれている。【０００３】  従来、この種の広告媒体は左右上部を天井の梁から垂下させた吊紐で吊支し、交換時には作業員が梯子に登り広告媒体を吊紐から外して交換作業を行なっており、高所の場合には危険を伴う。【０００４】
【特許文献】  実公６２−３５１０８号公報
【考案の開示】
【考案が解決しようとする課題】
【０００５】  従って本考案の目的は、広告媒体の交換を地上での操作ででき、交換作業時において作業員の危険を回避できる広告媒体昇降装置を提供することにある。【０００６】  本考案の他の目的は、比較的小さくて軽量な広告媒体を目視にて確認しながら所望の位置に簡単に設置できるとともに、広告媒体の交換を簡便に行なえる広告媒体昇降装置を提供することにある。
【課題を解決するための手段】
【０００７】  本考案に係る広告媒体昇降装置は、吊支する広告媒体を昇降させる昇降手段と、該昇降手段の昇降操作を行なう操作杆とを備えてなり、前記昇降手段に電力受給側コネクタを配設し、前記操作杆に、前記昇降手段を構成するモーターを作動させる電力を供給する電源部を内蔵するとともに前記昇降手段の上昇、下降操作を行なう操作部を設け、先端部に起電力供給側コネクタを形成し、前記操作杆の電力供給側コネクタを前記昇降手段の電力受給側コネクタに連結して通電し、前記昇降操作部を操作することにより広告媒体を昇降する。
【考案の効果】
【０００８】  本考案によれば、次の効果を奏する。
（１）広告媒体の交換を地上での操作ででき、交換作業時において作業員の危険を回避できる広告媒体昇降装置が得られる。
（２）比較的小さくて軽量な広告媒体を目視にて確認しながら所望の位置に簡単に設置できるとともに、広告媒体の交換を簡便に行なえる広告媒体昇降装置が得られる。
【考案を実施するための最良の形態】
【０００９】  広告媒体昇降装置は、吊支する広告媒体を昇降させる昇降手段と、昇降手段の昇降操作を行なう操作杆とを備えている。昇降手段に電力受給側コネクタを配設する。操作杆に、昇降手段を構成するモーターを作動させる電力を供給する電源部を内蔵するとともに昇降手段の上昇、下降操作を行なう操作部を設け、先端部に電力供給側コネクタを形成する。操作杆の電力供給側コネクタを昇降手段の電力受給側コネクタに連結して通電し、昇降操作部を操作することによりモーターの回転を正・逆いずれかに回転し、モーターの回転に連動するリールに巻装された吊紐を上下させ、吊紐に吊支された広告媒体を昇降させる。
【実施例】
【００１０】  図１は、本考案に係る広告媒体昇降装置の使用状態を示す正面図，
図２は、広告媒体昇降装置を示し、広告媒体昇降装置を構成する昇降手段と昇降手段を操作する操作杆とを連結した状態を示す斜視図、
図３は、広告媒体昇降装置を示し、広告媒体昇降装置を構成する昇降手段と昇降手段を操作する操作杆とを分離した状態を示す斜視図、
図４は、広告媒体昇降装置を構成する昇降手段を天井に設置した状態を示す正面図である。【００１１】  これらの図において、広告媒体昇降装置１は、広告媒体１８を昇降させる昇降手段１０と、この昇降手段１０の昇降操作を行なう操作杆３０とを備えている。【００１２】  前記昇降手段１０は、天井５に上部が固定される昇降手段本体１１と、該昇降手段本体内に配設され、電源部３６から供給された電力で作動し正・逆両回転可能なモーター１２と、このモーターにより回転する回転軸１３と、該回転軸の両端に軸支され前記モ−ター１２により回転する巻上げリ−ル１４（１４Ａ，１４Ｂ）と、該巻上げリ−ル１４に巻装され、その先端部が上部バー１９Ａに掛止めされた吊糸１６（１６Ａ，１６Ｂ）と、前記昇降手段本体１１の下部中央に形成された電力受供側コネクタ１７を備えている。符号１５はコード、１９Ｂは重錘となる下部バーである。【００１３】  前記操作杆３０は、前記昇降手段１０を構成する前記モーター１２を作動させる電力を供給する電源部（乾電池）３６を内蔵するとともに、前記昇降手段１０の上昇、下降操作を行なう昇降操作部３３を有し、先端部には電力供給側コネクタ３７が形成されている。【００１４】  前記操作杆３０は、第１の操作杆３１と、この第１の操作杆より若干細い第２の操作杆３２より構成され、前記操作杆３０は、前記第１の操作杆３１と前記第２の操作杆３２の２つに折畳み自在に形成されている。また、前記第１の操作杆３１と前記第２の操作杆３２は、ほぼ同じ長さの長尺に形成されている。前記第１の操作杆３１の下部側に、前記昇降操作部３３が形成されるとともに、前記電源部３６が内蔵されている。前記昇降操作部３３は、広告媒体１８を上昇させるようにモーター１２を作動させる電力を電源部３６から供給する第１のスイッチ３４と、広告媒体１８を下降させるようにモーター１２を作動させる電力を電源部３６から供給する第２のスイッチ３５から構成される。
【図面の簡単な説明】
【００１５】
【図１】  本考案に係る広告媒体昇降装置の使用状態を示す正面図である。
【図２】  広告媒体昇降装置を示し、広告媒体昇降装置を構成する昇降手段と昇降手段を操作する操作杆とを連結した状態を示す斜視図である。
【図３】  広告媒体昇降装置を示し、広告媒体昇降装置を構成する昇降手段と昇降手段を操作する操作杆とを分離した状態を示す斜視図である。
【図４】  広告媒体昇降装置を構成する昇降手段を天井に設置した状態を示す正面図である。
【図５】  広告媒体昇降装置を構成する昇降手段の側面図である。
【図６】  広告媒体昇降装置を構成する操作杆の要部を示す拡大斜視図である。
【符号の説明】
【００１６】  １        広告媒体昇降装置
５        天井
１０      昇降手段
１１      昇降手段本体
１２      モーター
１３      シャフト
１４      リール
１６      吊紐
１７      電力受給側コネクタ
１８      広告媒体
１９      バトン
３０      操作杆
３１      第１の操作杆
３２      第２の操作杆
３３      昇降操作部
３４      第１のスイッチ
３５      第２のスイッチ
３６      電源
３７      電力供給側コネクタ
【図１】
0003142333.tif 000003
【図２】
0003142333.tif 000004
【図３】
0003142333.tif 000005
【図４】
0003142333.tif 000006
【図５】
0003142333.tif 000007
【図６】
0003142333.tif 000008